【手続補正書】
【提出日】平成29年12月8日(2017.12.8)
【手続補正１】
【補正対象書類名】明細書
【補正対象項目名】発明の名称
【補正方法】変更
【補正の内容】
【発明の名称】画像処理装置、その制御方法、およびプログラム
【手続補正２】
【補正対象書類名】明細書
【補正対象項目名】０００１
【補正方法】変更
【補正の内容】
【０００１】
本発明は、画像処理装置、その制御方法、およびプログラムに関し、特に、原稿を読み取って生成した画像の送信制御に関する。
【手続補正３】
【補正対象書類名】明細書
【補正対象項目名】００１１
【補正方法】変更
【補正の内容】
【００１１】
従って、本発明の目的は、原稿読み取りに係る指示を簡単な構成で留め置くとともに、原稿読み取りと同時に動作可能な処理に係る指示を受け付けることのできる画像処理装置、その制御方法、およびプログラムを提供することにある。
【手続補正４】
【補正対象書類名】明細書
【補正対象項目名】００１２
【補正方法】変更
【補正の内容】
【００１２】
上記の目的を達成するため、本発明による画像処理装置は、原稿を読み取る読取手段と、外部装置へデータを送信する送信手段と、前記読取手段が使用中である場合に、前記読取手段で原稿を読み取って得られた画像に基づくデータを前記送信手段を使用して送信させるための第１の指示を通信端末から受信したことに従って、前記指示に対する応答として前記通信端末に所定の通知を送信し、前記第１の指示に基づくデータ送信を実行しないよう制御し、前記読取手段が使用中である場合に、前記通信端末で選択されたデータを前記送信手段を使用して送信させるための第２の指示を前記通信端末から受信したことに従って、前記第２の指示に基づいて前記送信手段が前記選択されたデータを前記外部装置に送信するよう制御する制御手段と、を有することを特徴とする。
【手続補正５】
【補正対象書類名】明細書
【補正対象項目名】００１３
【補正方法】変更
【補正の内容】
【００１３】
本発明による画像処理装置の制御方法は、原稿を読み取る読取手段と、外部装置へデータを送信する送信手段とを有する画像処理装置の制御方法であって、前記読取手段が使用中である場合に、前記読取手段で原稿を読み取って得られた画像に基づくデータを前記送信手段を使用して送信させるための第１の指示を通信端末から受信したことに従って、前記指示に対する応答として前記通信端末に所定の通知を送信し、前記第１の指示に基づくデータ送信を実行しないよう制御し、前記読取手段が使用中である場合に、前記通信端末で選択されたデータを前記送信手段を使用して送信させるための第２の指示を前記通信端末から受信したことに従って、前記第２の指示に基づいて前記送信手段が前記選択されたデータを前記外部装置に送信するよう制御する制御工程を有することを特徴とする。
【手続補正６】
【補正対象書類名】明細書
【補正対象項目名】００１４
【補正方法】変更
【補正の内容】
【００１４】
本発明によるプログラムは、上記の画像処理装置の制御方法をコンピュータに実行させるためのプログラムである。
【手続補正７】
【補正対象書類名】明細書
【補正対象項目名】００１５
【補正方法】変更
【補正の内容】
【００１５】
本発明によれば、スキャナ手段が占有状態にある場合に第１の指示を受けると、スキャナ手段が占有状態でない状態となるまで、第１の指示を送信したクライアント装置に対してビジー信号を返信する。これによって、原稿読み取りに係る指示を簡単な構成で留め置くとともに、原稿読み取りと同時に動作可能な処理に係る指示を受け付けることができる。
【手続補正８】
【補正対象書類名】明細書
【補正対象項目名】０１３５
【補正方法】変更
【補正の内容】
【０１３５】
ＢＵＳＹレスポンスを受けると、ＣＰＵ４１１は、またスキャンコマンドをＭＦＰ１０３に送信する（ステップＳ１７１１）。図示のように、当該スキャンコマンドは、ステップＳ１０１０に示すファックス送信のタイミングでＭＦＰ１０３に送られる。よって、ＣＰＵ２１１はスキャナ２２２が稼働中なく、かつ予約中でもないと判定して、第２のＯＫレスポンスをタブレット型端末１０４に送信する（ステップＳ１７１２）。
【手続補正９】
【補正対象書類名】明細書
【補正対象項目名】０１４２
【補正方法】削除
【補正の内容】
【手続補正１０】
【補正対象書類名】明細書
【補正対象項目名】０１４４
【補正方法】変更
【補正の内容】
【０１４４】
例えば、上記の実施の形態の機能を制御方法として、この制御方法を画像処理装置に実行させるようにすればよい。また、上述の実施の形態の機能を有するプログラムを画像処理装置が備えるコンピュータに実行させるようにしてもよい。なお、プログラムは、例えば、コンピュータに読み取り可能な記録媒体に記録される。
【手続補正１１】
【補正対象書類名】特許請求の範囲
【補正対象項目名】全文
【補正方法】変更
【補正の内容】
【特許請求の範囲】
【請求項１】
原稿を読み取る読取手段と、
外部装置へデータを送信する送信手段と、
前記読取手段が使用中である場合に、前記読取手段で原稿を読み取って得られた画像に基づくデータを前記送信手段を使用して送信させるための第１の指示を通信端末から受信したことに従って、前記指示に対する応答として前記通信端末に所定の通知を送信し、前記第１の指示に基づくデータ送信を実行しないよう制御し、
前記読取手段が使用中である場合に、前記通信端末で選択されたデータを前記送信手段を使用して送信させるための第２の指示を前記通信端末から受信したことに従って、前記第２の指示に基づいて前記送信手段が前記選択されたデータを前記外部装置に送信するよう制御する制御手段と、
を有することを特徴とする画像処理装置。
【請求項２】
前記外部装置はファクシミリ装置であり、前記送信手段は前記画像に基づくデータ又は前記選択されたデータをファクシミリ送信することを特徴とする請求項１に記載の画像処理装置。
【請求項３】
前記所定の通知は、ビジー信号であることを特徴とする請求項１又は２に記載の画像処理装置。
【請求項４】
前記読取手段によって原稿を読み取って得られたデータ、及び、前記通信端末上で選択されたデータを前記送信手段を使用して送信させるための第３の指示を前記通信端末から受信したことに従って、前記制御手段は、前記第３の指示に基づいて、前記送信手段が前記選択されたデータと前記読取手段で原稿を読み取ることで得られた画像に基づくデータとを外部装置に送信するよう制御することを特徴とする請求項１乃至３のいずれか１項に記載の画像処理装置。
【請求項５】
前記読取手段の使用権限を管理する管理手段を更に備え、
前記管理手段は、前記読取手段を使用するアプリケーションを起動するユーザ操作がなされたことに応じて、前記読取手段の使用状態を使用中に遷移させ、当該アプリケーションを使用する処理が終了したことに応じて前記読取手段の使用状態を使用可能な状態に遷移させ、
前記制御手段は、前記管理手段が管理する前記使用権限に基づいて、前記読取手段が使用中であるか否かを判断することを特徴とする請求項１乃至４のいずれか１項に記載の画像処理装置。
【請求項６】
前記読取手段の使用中は、前記読取手段による原稿の読み取り作業が稼働中である状態、及び前記読取手段が予約中である状態を含むことを特徴とする請求項１乃至５のいずれか１項に記載の画像処理装置。
【請求項７】
前記第１の指示は、前記通信端末から送信されるジョブ生成コマンド及びスキャンコマンドからなること特徴とする請求項１乃至６のいずれか１項に記載の画像処理装置。
【請求項８】
前記第２の指示は、前記通信端末から送信される前記ジョブ生成コマンド及び、画像コマンドからなることを特徴とする請求項７に記載の画像処理装置。
【請求項９】
前記第３の指示は、前記通信端末から送信されるジョブ生成コマンド、スキャンコマンド、及び、画像コマンドからなることを特徴とする請求項４に記載の画像処理装置。
【請求項１０】
原稿を読み取る読取手段と、外部装置へデータを送信する送信手段とを有する画像処理装置の制御方法であって、
前記読取手段が使用中である場合に、前記読取手段で原稿を読み取って得られた画像に基づくデータを前記送信手段を使用して送信させるための第１の指示を通信端末から受信したことに従って、前記指示に対する応答として前記通信端末に所定の通知を送信し、前記第１の指示に基づくデータ送信を実行しないよう制御し、
前記読取手段が使用中である場合に、前記通信端末で選択されたデータを前記送信手段を使用して送信させるための第２の指示を前記通信端末から受信したことに従って、前記第２の指示に基づいて前記送信手段が前記選択されたデータを前記外部装置に送信するよう制御する制御工程を有することを特徴とする画像処理装置の制御方法。
【請求項１１】
請求項１０に記載の画像処理装置の制御方法をコンピュータに実行させるためのプログラム。
【請求項１２】
画像処理装置と通信可能な通信端末のコンピュータに、
前記画像処理装置が備える読取手段で原稿を読み取って得られた画像に基づくデータを前記画像処理装置を経由して外部装置に送信させるための第１の指示又は、前記通信端末のデータを前記画像処理装置を経由して前記外部装置に送信させるための第２の指示を前記画像処理装置に送信する送信工程を実行させるためのプログラム。
【請求項１３】
前記プログラムは、更に、前記画像処理装置経由での送信に関する設定をユーザ操作を介して受け付ける受付工程を前記コンピュータに実行させ、
前記送信工程では、前記受付工程で受け付けた設定に基づいて、前記第１の指示又は前記第２の指示を前記画像処理装置に送信することを特徴とする請求項１２に記載のプログラム。
【請求項１４】
前記プログラムは、送信アプリケーションプログラムであり、前記送信アプリケーションとは異なるアプリケーションプログラムがデータを選択した状態で、前記異なるアプリケーションプログラムから前記送信アプリケーションプログラムが呼び出されたことに少なくとも応じて、前記第２の指示で送信されるデータが選択されることを特徴とする請求項１２又は１３に記載のプログラム。